(57)【要約】 【課題】プロジェクタ本体と画像再生装置を効率よく冷却するとともに、専有面積が小さく小型化を容易に図ることができるプロジェクタを提供すること【解決手段】プロジェクタ１０は、画像光を拡大投写するプロジェクタ本体１と、画像光に関連する画像を再生する画像再生装置３０とを備え、プロジェクタ本体１と画像再生装置３０は、プロジェクタ本体１が上になるように上下一体に配置され、プロジェクタ本体１と画像再生装置３０の間には区画部材５０が形成され、当該区画部材５０の上面にプロジェクタ本体１が載置されて構成される。【選択図】図４
2006072037.tif 000002
【特許請求の範囲】
【請求項１】
光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する画像を再生する画像再生装置とを備えたプロジェクタであって、
前記プロジェクタ本体と画像再生装置は、プロジェクタ本体が上になるように上下一体に配置され、
前記プロジェクタ本体と画像再生装置の間には区画部材が形成され、当該区画部材の上面にプロジェクタ本体が載置されていることを特徴とするプロジェクタ。
【請求項２】
請求項１に記載のプロジェクタにおいて、
前記区画部材にプロジェクタ本体及び／または画像再生装置におけるダクトの一部または全部が一体化して形成されていることを特徴とするプロジェクタ。
【請求項３】
請求項１または請求項２に記載のプロジェクタにおいて、
前記区画部材には、前記画像再生装置からの熱を導入する導入口が形成されていることを特徴とするプロジェクタ。
【請求項４】
請求項３に記載のプロジェクタにおいて、
前記画像再生装置における発熱部分を前記導入口の直下又はその周囲に配置し、
前記区画部材のプロジェクタ本体側には、前記導入口と空気的に連通したダクトが配設されていることを特徴とするプロジェクタ。
【請求項５】
請求項１ないし請求項４の何れかに記載のプロジェクタにおいて、
前記区画部材が前記プロジェクタ本体を取り囲む側面部を一体となっており、
当該側面部には、前記投写光学装置の先端を囲む周状リブが形成されていることを特徴とするプロジェクタ。
【請求項６】
請求項１ないし請求項５の何れかに記載のプロジェクタにおいて、
前記プロジェクタ本体の排気部と画像再生装置の排気部とが隣接して配設されていることを特徴とするプロジェクタ。
【請求項７】
請求項１ないし請求項６の何れかに記載のプロジェクタにおいて、
前記画像再生装置がＤＶＤ（Digital Versatile Disc）プレーヤーであることを特徴とするプロジェクタ。
【発明の詳細な説明】
【技術分野】
【０００１】
本発明は、プロジェクタ本体とＤＶＤ（Digital Versatile Discの略。以下同）プレーヤー等の画像再生装置とを一体化した複合タイプのプロジェクタに関する。
【背景技術】
【０００２】
光源から射出された光束を画像情報に応じて変調して、投射レンズを介してスクリーン上に投射するプロジェクタが知られており、このプロジェクタは、パーソナルコンピュータ（ＰＣ）とともに、会議等でのプレゼンテーションに広く利用されている。
【０００３】
このようなプロジェクタは、ダイクロイックミラー等の色分離光学系が、光源から射出された光束を三色の色光に分離し、液晶パネル等で構成される３枚の光変調装置は、色光毎に画像情報に応じて変調する。また、クロスダイクロイックプリズム等の色合成光学装置は、変調後の各色光を合成して光学像を形成しており、この形成された光学像を、投射レンズ等の投射光学装置によって拡大投射する、いわゆる三板式の構成を採用するものが広く知られている。
【０００４】
また、近年のプロジェクタの多機能化にあっては、プロジェクタは画像を投写するだけでなく、音声も出力することが可能となっており、そのために、スピーカー等の音声再生装置を内蔵しているものも増えてきている。そのスピーカーも、より臨場感を出すために、ステレオスピーカーが多く用いられている（例えば、特許文献１）。
【０００５】
更には、近年のプロジェクタの多機能化にあっては、自宅で簡便に映画館と同じような環境で、映画館と同様の映像を再生するホームシアターシステムが普及してきており、そして、プロジェクタ本体と画像再生装置とを一体化した複合タイプのプロジェクタが、ホームシアターとしての用途を発揮できるようになっていた（例えば、特許文献２）。画像再生装置としてはＤＶＤプレーヤー、ビデオカセットレコーダーなどがよく利用されているが、映像の品質や映像ソースのハンドリングのし易さからＤＶＤプレーヤーを用いることが主流となっている。
【０００６】
【特許文献１】特開平６−１３８４３３号公報（［００２１］，図５）
【特許文献２】特開平７−１１３９９６号公報（［請求項１］，図４）
【発明の開示】
【発明が解決しようとする課題】
【０００７】
ところで、プロジェクタは、大量の熱を発生するが、これをＤＶＤプレーヤー等の画像再生装置とを一体化にした場合にあっては、画像再生装置も熱を発生することと併せて、
両者を一体化するための配置に工夫が必要とされ、効率よい冷却ができないことに加えて、プロジェクタの小型化が困難となるという問題があった。
【０００８】
本発明の目的は、前記の課題に鑑みてなされたものであり、プロジェクタ本体と画像再生装置を効率よく冷却するとともに、専有面積が小さく小型化を容易に図ることができるプロジェクタを提供することにある。
【課題を解決するための手段】
【０００９】
本発明のプロジェクタは、光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置からなるプロジェクタ本体と、前記画像光に関連する画像を再生する画像再生装置とを備えたプロジェクタであって、前記プロジェクタ本体と画像再生装置は、プロジェクタ本体が上になるように上下一体に配置され、前記プロジェクタ本体と画像再生装置の間には区画部材が形成され、当該区画部材の上面にプロジェクタ本体が載置されていることを特徴とする。
ここで、画像再生装置としては、例えば、ＤＶＤプレーヤー、ビデオカセットレコーダーなどが挙げられる。
【００１０】
この構成によれば、プロジェクタ本体と画像再生装置が、プロジェクタ本体が上になるように上下一体に配置されているので、製品全体の専有面積が小さくなり、プロジェクタの小型化を図ることができる。
また、プロジェクタ本体が上になるようにしているので、上方への投写に適することになる。更には、プロジェクタ本体は画像再生装置と比較して大きな熱を発生するので、プロジェクタ本体を上に配置することにより、プロジェクタ本体の熱により画像再生装置に悪影響を及ぼすことを抑制することができる。
【００１１】
また、プロジェクタ本体と画像再生装置の間には区画部材が形成されており、この区画部材の上面にプロジェクタ本体が載置されているので、両装置が確実に分離され、また、プロジェクタ本体も区画部材に載置されることによって、安定した状態でプロジェクタが載置されることになる。
【００１２】
本発明のプロジェクタは、前記した区画部材にプロジェクタ本体及び／または画像再生装置におけるダクトの一部または全部が一体化して形成されていることを形成していることが好ましい。
この本発明によれば、プロジェクタ本体と画像再生装置の間に形成される区画部材にプロジェクタ本体及び／または画像再生装置におけるダクトの一部または全部が一体化して形成されているので、このプロジェクタ本体や画像再生装置の吸気や排気が良好に行われることになる。また、ダクトを別途配設する必要がなくなるので、部材点数の削減となり、これによりコストの削減を図ることができる。
【００１３】
本発明のプロジェクタは、前記した区画部材には、前記画像再生装置からの熱を導入する導入口が形成されていることが好ましい。
この本発明によれば、プロジェクタ本体と画像再生装置の間に形成される区画部材には、画像再生装置からの熱を導入する導入口が形成されているので、区画部材の下部に存在する画像再生装置の熱を、区画部材の上部に存在するプロジェクタ側に送り出すことができ、画像再生装置の冷却を効率的に実施することができる。
【００１４】
本発明のプロジェクタは、前記した画像再生装置における発熱部分を前記した導入口の直下又はその周囲に配置し、前記した区画部材のプロジェクタ本体側には、前記した導入口と連通したダクトが配設されていることが好ましい。
この本発明によれば、画像再生装置における発熱部分を区画部材に形成された導入口の直下又はその周囲に配置するようにしているので、画像再生装置で発生した熱はこの導入口を通過するようになり、また、区画部材のプロジェクタ本体側には、当該導入口と連通したダクトが配設されているので、導入口を通過した熱はダクトを介して外部に排出されることとなり、放熱をより一層効率的に行うことができる。
ここで、画像再生装置の発熱部分としては、例えば、画像再生装置であるＤＶＤプレーヤーの駆動ユニットや、投入されたＤＶＤに記録されているデジタルビデオ信号を読み取る光学部品であるピックアップなどが挙げられる。
【００１５】
本発明のプロジェクタは、前記した区画部材が前記プロジェクタ本体を取り囲む側面部と一体となっており、当該側面部には、前記投写光学装置の先端を囲む周状リブが形成されていることが好ましい。
この本発明によれば、プロジェクタ本体と画像再生装置の間に形成される区画部材が、
当該プロジェクタ本体を取り囲む側面部をも形成しており、この側面部にプロジェクタ本体を構成する投写光学装置（投写レンズ）の先端を囲む周状リブが形成されているので、投写方向が正確になり、また、投写効率の最適化を図ることができる。
また、この周状リブは区画部材と一体化された側面部と一体化されているので、部材点数を少なくすることができ、更なるコストの削減を図ることができる。
【００１６】
本発明のプロジェクタは、前記したプロジェクタ本体の排気部と画像再生装置の排気部が隣接して配設されていることが好ましい。
この本発明によれば、プロジェクタ本体に形成される排気部と、画像再生装置の排気部が隣接して配設されているので、両者の排気を同一方向に行うことができ、装置の排気の効率化を図ることができる。
【００１７】
本発明のプロジェクタは、前記した画像再生装置がＤＶＤ（Digital Versatile Disc）プレーヤーであることが好ましい。
この本発明によれば、プロジェクタに配設される画像再生装置としてＤＶＤプレーヤーを採用することにより、前記した効果を奏するプロジェクタ本体−ＤＶＤプレーヤー一体型のプロジェクタを提供することができる。
【発明を実施するための最良の形態】
【００１８】
以下、本発明の実施の一形態を図面に基づいて説明する。
［第１実施形態］
（Ｉ）プロジェクタの外観構成：
図１は、本実施形態に係るプロジェクタ１０を前方側から見た斜視図であり、また、図２は、プロジェクタ１０を後方側から見た斜視図である。
【００１９】
プロジェクタ１０は、形状が略直方体の筐体である外装ケース１５の内部に、後記する図３の構造の光学系４からなるプロジェクタ本体１を収納する。このプロジェクタ本体１は、光源から射出された光束を画像情報に応じて変調し、この光変調後に合成された画像光を投写レンズ３からスクリーン等の投写面上に拡大投写するものである。
【００２０】
更に、本実施形態のプロジェクタ１０は、詳しくは後記するが、画像光に関連する画像を再生する画像再生装置であるＤＶＤプレーヤー３０を備えた複合プロジェクタであり、プロジェクタ本体１とこのＤＶＤプレーヤー３０は、外装ケース１５内部で、プロジェクタ本体１が上になるように上下一体に配置されている。
そして、これも詳しくは後記するが、外装ケース１５内部において、プロジェクタ本体１とＤＶＤプレーヤー３０の間には区画部材５０が形成され、当該区画部材５０の上面にプロジェクタ本体１が載置されている。
【００２１】
なお、プロジェクタ１０には、画像光に関連する音声を発生する音声発生装置であるスピーカーを、図２に示した２枚のカバー部材２０の内側に配設されており、プロジェクタ本体１が画像光を投射するとこのスピーカーも駆動して画像光に対応する音声を再生することとなる。このスピーカーも、前記したプロジェクタ本体１及びＤＶＤプレーヤーとともに、外装ケース１５に収納されることになる。
【００２２】
プロジェクタ本体１とＤＶＤプレーヤー３０を収納するこの外装ケース１５は、平面が略矩形状の合成樹脂製の筐体であり、図１に示すように、正面部１５Ａには、投写レンズ３が露出されている。この投写レンズ３は、光変調装置としての液晶パネルで変調形成された光学像を拡大投写する投写光学装置（投写光学系）としての機能を具備するものであり、図示しないレンズ保持筒内部に複数のレンズが収納された組レンズとして構成されている。
【００２３】
図１に示すように、プロジェクタ１の外装ケース１５の正面部１５Ａ（投写レンズ３が露出している面）、及び当該正面部１５Ａから見た左側面部１５Ｂには、排気口１５１Ａ，１５１Ｂ１，１５１Ｂ２が形成されている。この排気口１５１Ａ，１５１Ｂ１，１５１Ｂ２は、外装ケース１５内部のプロジェクタ本体１やＤＶＤプレーヤー３０から生じる熱を外部に排出する開口部であり、本実施形態では、細長い略矩形状の空隙が横に数本並んで、排気口１５１Ａ，１５１Ｂ１，１５１Ｂ２を形成している。
【００２４】
また、図１に示すように、プロジェクタ１の外装ケース１５の正面部１５Ａには、電源を投入するための電源スイッチ３０１と、ＡＣ電源コードのインレットコネクタ３０２が形成されている。
【００２５】
なお、図２では、外装ケース１５の正面部１５Ａに１つの排気口１５１Ａを、また、外装ケース１５の左側面部に２つの排気口１５１Ｂ１，１５１Ｂ２を形成した例を示しており、左側面部１５Ｂの２つの排気口１５１Ｂ１，１５１Ｂ２のうち、上のもの（１５１Ｂ１）はプロジェクタ本体１の排気部７３、下のもの（１５１Ｂ２）はＤＶＤプレーヤー３０の排気部とそれぞれ連通している。
【００２６】
また、図示しないが、外装ケース１５の正面部から見た右側面部には、２つの吸気口が
細長い略矩形状の空隙が縦に数本並んで形成されており、この右側面部の２つの吸気口のうち、上のものはプロジェクタ本体１の吸気部７２、下のものはＤＶＤプレーヤー３０の吸気部７４とそれぞれ連通している。この吸気口は、外装ケース１５の内部に配設されるプロジェクタ本体１を冷却するために、外部の空気を入れ込むための開口部である。
【００２７】
図２に示すように、外装ケース１５の背面部１５Ｃには、面状のカバー部材２０が、左右に２枚配設されている。また、このカバー部材２０の内面側には、音声再生装置である図示しないスピーカーを配設する放音口が形成されており、カバー部材２０はこの放音口を覆っているものである。また、このスピーカーの放音口は、図示しないスピーカーを組み込み、位置決めするための開口部であり、スピーカーの形状に併せて、矩形状ないしは正方形状の開口部が形成されている。
なお、この放音口は、外装ケースの背面部１５Ｃの左右下部に各１つずつ（計２つ）形成されており、この２つの放音口を、カバー部材２０が覆うことになる。
【００２８】
また、図２に示す２枚のカバー部材２０の内側に配設される音声再生装置であるスピーカーは、図示しないが、円錐型の振動板と、スピーカーの外箱部材となる略直方体形状のスピーカーキャビネットを含むコーン型スピーカーを用いることができる。
また、本実施形態のプロジェクタ１０を構成するスピーカーは、ステレオタイプのスピーカーであり、図示しないが、外装ケース１５の背面部１５Ｃの左右に形成された放音口にそれぞれ１つずつ配設されている。
【００２９】
（II）光学系の構造：
図３は、本実施形態のプロジェクタ本体１の光学系４の模式図を示す。
本実施形態のプロジェクタ本体１は、インテグレータ照明光学系４１と、色分離光学系４２と、リレー光学系４３と、光変調光学装置および色合成光学系を一体化した光学装置４４と、投写光学装置としての投写レンズ３とを備えているものである。
【００３０】
インテグレータ照明光学系４１は、光源から射出された光束を照明光軸直交面内におけ
る照度を均一にするための光学系であり、光源装置４１１、第１レンズアレイ４１２、第
２レンズアレイ４１３、偏光変換素子４１４、および重畳レンズ４１５を備えて構成され
る。
【００３１】
光源装置４１１は、放射光源としての光源ランプ４１６およびリフレクタ４１７を備えており、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００３２】
第１レンズアレイ４１２は、照明光軸方向から見てほぼ矩形状の輪郭を有する小レンズ
がマトリクス状に配列された構成を具備している。各小レンズは、光源ランプ４１６から
射出された光束を部分光束に分割して、照明光軸方向に射出する。各小レンズの輪郭形状は、後述する液晶パネル４４１の画像形成領域の形状とほぼ相似形をなすように設定される。
【００３３】
第２レンズアレイ４１３は、第１レンズアレイ４１２と略同様の構成であり、小レンズ
がマトリクス状に配列された構成を具備する。この第２レンズアレイ４１３は、重畳レン
ズ４１５とともに、第１レンズアレイ４１２の各小レンズの像を液晶パネル４４１上に結
像させる機能を有する。
【００３４】
偏光変換素子４１４は、第２レンズアレイ４１３からの光を１種類の偏光光に変換する
ものであり、これにより、光学装置４４での光の利用率が高められている。
具体的に、偏光変換素子４１４によって１種類の偏光光に変換された各部分光束は、重
畳レンズ４１５によって最終的に光学装置４４の液晶パネル４４１上にほぼ重畳され
る。偏光光を変調するタイプの液晶パネル４４１を用いたプロジェクタでは、１種類の偏
光しか利用できないため、ランダムな偏光光を発する光源ランプ４１６からの光束の略
半分が利用されない。
このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３５】
色分離光学系４２は、２枚のダイクロイックミラー４２１，４２２と、反射ミラー４２
３とを備え、ダイクロイックミラー４２１、４２２によりインテグレータ照明光学系４１
から射出された複数の部分光束を赤（Ｒ）、緑（Ｇ）、青（Ｂ）の３色の色光に分離する
機能を有している。
【００３６】
リレー光学系４３は、入射側レンズ４３１と、リレーレンズ４３３と、反射ミラー４３
２，４３４とを備え、色分離光学系４２で分離された色光である赤色光を液晶パネル４４
１Ｒまで導く機能を有している。
【００３７】
この場合、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００３８】
また、ダイクロイックミラー４２１を透過した赤色光と緑色光のうちで、緑色光は、ダ
イクロイックミラー４２２によって反射し、フィールドレンズ４１８を通って、緑色用の
液晶パネル４４１Ｇに到達する。一方、赤色光は、ダイクロイックミラー４２２を透過し
てリレー光学系４３を通り、さらにフィールドレンズ４１８を通って、赤色光用の液晶パ
ネル４４１Ｒに到達する。
【００３９】
なお、赤色光にリレー光学系４３が用いられているのは、赤色光の光路の長さが他の色
光の光路長さよりも長いため、光の発散等による光の利用効率の低下を防止するためであ
る。すなわち、入射側レンズ４３１に入射した部分光束をそのまま、フィールドレンズ４１８に伝えるためである。なお、リレー光学系４３には、３つの色光のうちの赤色光を通
す構成としたが、これに限らず、例えば、青色光を通す構成としてもよい。
【００４０】
光学装置４４は、入射された光束を画像情報に応じて変調してカラー画像を形成す
るものであり、色分離光学系４２で分離された各色光が入射される３つの入射側偏光板４
４２と、各入射側偏光板４４２の後段に配置される光変調素子としての液晶パネル４４１
（４４１Ｒ、４４１Ｇ、４４１Ｂ）と、各液晶パネル４４１Ｒ、４４１Ｇ、４４１Ｂの後
段に配置される射出側偏光板４４３と、色合成光学系としてのクロスダイクロイックプリ
ズム４４４を備えている。
【００４１】
液晶パネル４４１Ｒ、４４１Ｇ、４４１Ｂは、一対の透明なガラス基板に電気光学物質である液晶を密閉封入したものであり、例えば、ポリシリコンＴＦＴをスイッチング素子として、与えられた画像信号に従って、入射側偏光板４４２から射出された偏光光束の偏光方向を変調する。この液晶パネル４４１Ｒ，４４１Ｇ，４４１Ｂの変調を行う画像形成領域は、矩形状であり、その対角寸法は、例えば０．７インチ程度である。
【００４２】
そして、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００４３】
入射側偏光板４４２は、色分離光学系４２で分離された各色光のうち、一定方向の偏光
光のみ透過させ、その他の光束を吸収するものであり、サファイアガラス等の基板に偏光
膜が貼付されたものである。また、基板を用いずに、偏光膜をフィールドレンズ４１８に
貼り付けてもよい。
【００４４】
また、射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交
するように設定されている。
【００４５】
クロスダイクロイックプリズム４４４は、射出側偏光板４４３から射出され、色光毎に
変調された光学像を合成してカラー画像を形成するものである。
クロスダイクロイックプリズム４４４には、赤色光を反射する誘電体多層膜と青色光を
反射する誘電体多層膜とが、４つの直角プリズムの界面に沿って略Ｘ字状に設けられ、こ
れら誘電体多層膜により３つの色光が合成される。
【００４６】
更に、プリズム４４４で合成されたカラー画像は、投写レンズ３から射出され、スクリーン上に拡大投射されることになる。
そして、かかる構成からなる光学系は、例えば、平面略Ｌ字状の形状からなる、図４及び図５に示す光学装置用筐体４５に収納されることになる。
【００４７】
（III）プロジェクタ１０の内部構造：
図４及び図５は、プロジェクタ１０の内部構成を示した斜視図であり、図４は前方から見た斜視図、図５は後方から見た斜視図であり、いずれも、プロジェクタ１０から外装ケース１５を取り外した状態を示している。
また、図６は、プロジェクタ本体１の平面図であり、図７は、ＤＶＤプレーヤー３０の平面図を示している。
【００４８】
（III−ａ）プロジェクタ本体１の構造：
図４〜図６に示すように、区画部材５０を介して上に配置されるプロジェクタ本体１は、平面略Ｌ字状の形状からなる光学装置用筐体４５に収納されている。この光学部品用筐体４５は、射出成形等による合成樹脂製品であり、光学部品が収納される箱状の部品収納部材４７Ｂと、この部品収納部材の上面の開口部分を塞ぐ蓋状の蓋状部材４７Ａとを備えている。  具体的には、この光学部品用筐体４５は、光源装置４１１が収納される光源収納部４８と、光源装置４１１を除く他の光学部品が収納される容器状に形成された部品収納部４９とを備えている。
【００４９】
光源収納部４８は、略箱型形状であり、部品収納部４９側の端面及びこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
【００５０】
部品収納部４９は、上面が開口した略直方体形状であり、その一端は光源収納部４８に接続されている。
部品収納部４９には、ここでは、具体的な図示は省略するが、光学部品４１２〜４１５，４１９，４２１〜４２３，４３１〜４３５を上方からスライド式に嵌め込むための複数の溝部が形成されている。また、この部品収納部４９の投写レンズ３に隣接する部分には、光学装置４４が設置される。
【００５１】
光学部品用筐体４５を構成する蓋状部材４７Ａは、部品収納部材４７Ｂの部品収納部４９における光学装置４４の上方を除く上端開口部分を閉塞する。この蓋状部材４７Ａには、表裏を貫通して複数の開口部４６が形成され、この開口部４６から、光学部品用筐体４５の内部を冷却した空気が排出されることとなる。
【００５２】
回路基板５は、前記した光学部品用筐体４５の上方に配置される（なお、図４では回路基板の図示は省略している）。
この回路基板５は、ＣＰＵ（Central Processing Unit）等の演算処理装置が実装された回路基板として構成され、プロジェクタ本体１全体を制御する。この回路基板５は、図示しないインターフェイス基板から出力される信号に基づいて、液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。
また、この回路基板５は、図示しない操作パネルの回路基板、および図示しないリモコン受光モジュールから出力される操作信号を入力し、この操作信号に基づいてプロジェクタ１の構成部材に適宜、制御指令を出力する。
【００５３】
電源ユニット６は、光源装置４１１および回路基板５等に電力を供給するものであり、電源回路を備えた電源ブロック６１と、この電源ブロック６１の上方に配置されるランプ駆動ブロック６２とを備えている。
【００５４】
電源ブロック６１は、図示しないインレットコネクタに接続されたＡＣ電源コードを通して外部から供給された電力をランプ駆動ブロックおよび回路基板５等に供給する。この電源ブロック６１は、入力される交流を低電圧の直流に変換するトランスやこのトランスからの出力を所定の電圧に変換する変換回路等が片面に実装された回路基板と、この回路基板を覆うシールド部材としての箱部材６１１とを備えている。このうち、箱部材６１１は、アルミニウムから構成され、両端が開口された略箱状に形成されている。
【００５５】
ランプ駆動ブロック６２は、前述した光源装置４１１に安定した電圧で電力を供給するための変換回路であり、電源ブロック６１から入力した商用交流電流は、このランプ駆動ブロックによって整流、変換されて、直流電流や交流矩形波電流となって光源装置４１１に供給される。
【００５６】
なお、このような電源ユニット６の側方には、プロジェクタ本体１の排気部７３としての排気用ファン７３１が設置されており、電源ユニット６を冷却した空気を排気口７３２から排出している。
また、投写レンズ３の側方に配設されたプロジェクタ本体１の吸気部７２である吸気用ファン７２１は、区画部材５０の側面部５０２に形成された吸気口７２２からプロジェクタ本体１の外部の空気を導入して、各光学部品等の冷却を実施する。
【００５７】
（III−ｂ）ＤＶＤプレーヤー３０の構造：
プロジェクタ１０を構成するＤＶＤプレーヤー３０は、区画部材５０を介して下に配置されており、図４に示すように、プロジェクタ１０の正面側（投写レンズ３が配置されている側）には、図１にも示したように、電源を投入するための電源スイッチ３０１と、ＡＣ電源コードのインレットコネクタ３０２が設けられている。
【００５８】
また、正面側から見たＤＶＤプレーヤー３０の左側面部には、排気部７５としての排気口７５１が形成されており、この排気口７５１の内部には図示しない排気用ファンが配設されている。なお、ＤＶＤプレーヤー３０の排気口７５１と前記したプロジェクタ本体１の排気口７３２は、プロジェクタ１０に対して同じ面に隣接して配設されている。
【００５９】
更には、図５及び前記した図１に示すように、ＤＶＤプレーヤー３０の背面側には、画像に関するデジタルビデオ信号を記録したＤＶＤ投入部３０３が形成されており、ＤＶＤプレーヤー３０に対して、このＤＶＤ投入部３０３からＤＶＤを出し入れする。
【００６０】
また、ＤＶＤプレーヤー３０の右側面部には、吸気部７４としての吸気口７４１が形成されており、吸気口７４１の内部には図示しない吸気用ファンが配設されている。なお、ＤＶＤプレーヤー３０の吸気口７４１と、前記したプロジェクタ本体１の吸気口７２２は、プロジェクタ１０に対して同じ面に配設されており、これは前記した排気口７３２，７５１と同様である。
【００６１】
図７は、ＤＶＤプレーヤー３０の平面図を示しており、ＤＶＤプレーヤー３０の電源ユニット３１０は、図４にも示したインレットコネクタ３０２に接続されたＡＣ電源コードを通じて、外部から供給された電力をＤＶＤ駆動ユニット３２０及び回路基板３３０等に供給する。
なお、このＤＶＤ駆動ユニット３２０には、投入されたＤＶＤに記録されているデジタルビデオ信号を読み取る光学部品である図示しないピックアップが搭載されている。
【００６２】
回路基板３３０は、ＤＶＤプレーヤー３０全体を制御し、ピックアップにより読み取られたＤＶＤに記録されているデジタルビデオ信号をプロジェクタ本体１に対して出力する。また、プロジェクタ本体１は、このデジタルビデオ信号をもとに、光学系４を駆動させて、デジタルビデオ信号に対応する画像を液晶パネルに再生して光変調を実施することにより光学像が形成される。加えて、デジタルビデオ信号が出力されると、図示しないスピーカーも駆動され、光学像が形成されるとともに音声が発生されることになる。
【００６３】
また、前記したように、ＤＶＤプレーヤー３０の一方の側面には、吸気部７４である吸気口７４１及び図示しない吸気用ファンが設けられており、これは電源ユニット３１０と隣接するように配置されている。また、もう一方の側面には、排気部７５である排気口７５１と図示しない排気用ファンが設けられている。この吸気部７４と排気部７５は、プロジェクタ本体１に設けられた吸気部７２や排気部７３と隣接して形成されている。
【００６４】
（III−ｃ）区画部材５０の構造：
図４〜図６に示したように、これらプロジェクタ本体１とＤＶＤプレーヤー３０は、プロジェクタ本体１が上になるように上下一体に配置され、また、プロジェクタ本体１とＤＶＤプレーヤー３０との間には区画部材５０が形成され、当該区画部材５０の上面にプロジェクタ本体１が載置されている。
【００６５】
図８は、図４において、プロジェクタ本体１を取り外した状態を示した斜視図であり、以下、前記した図４及びこの図８を用いて、区画部材５０の構造を説明する。
この区画部材５０は、合成樹脂製の一体成形品であり、プロジェクタ本体１を載置する平面部５０１と、プロジェクタ本体１を取り囲む側面部５０２とが一体となって形成されている。
【００６６】
なお、図８中、平面部５０１に形成されている凹部５０１Ａは、図４に示す吸気用ファン７２１を設置するためのものであり、また、側面部５０２には隣接して吸気口７２２が形成されている。同様に、平面部５０１に形成されているリブは５０１Ｂ、前記した電源ユニット６を位置決め固定するものである。
【００６７】
また、この区画部材５０は、プロジェクタ本体１を載置したまま、ＤＶＤプレーヤー３０の上面に配設されることになるが、区画部材５０の底面（平面部５０１のＤＶＤプレーヤー３０側の面）には図示しない支持台が形成されており、これによりＤＶＤプレーヤー３０の上面に安定して載置することができる。
【００６８】
本実施形態のプロジェクタ１を構成する区画部材５０には、平面部５０１の略中央に対して、下部に配設されるＤＶＤプレーヤー３０の熱を導入する略矩形状の導入口５１０が形成されている。
また、この区画部材５０の平面部５０１にはダクト５２０が一体化されて形成されており、これにより、かかる導入口５１０とダクト５２０は空気的に連通されている状態（空気が導入口５１０からダクト５２０まで自由に行き来できる状態）になっている。このように、区画部材５０にプロジェクタ本体１やＤＶＤプレーヤー３０におけるダクト５２０が一体化して形成されていることにより、プロジェクタ本体１やＤＶＤプレーヤー３０の吸気や排気が良好に行われることになる。
なお、図４に示すように、本実施形態のプロジェクタ１０において、区画部材５０にプロジェクタ本体１を載置した場合にあっては、このダクト５２０に隣接するようにして、ファン５３０が配設されている。
【００６９】
具体的には、この構成により、区画部材５０の下部に配設されるＤＶＤプレーヤー３０で発生する熱は、導入口５１０から、この導入口５１０と空気的に連通するダクト５２０に送り出されることになる。よって、導入口５１０を通過した熱はダクト５２０を介してＤＶＤプレーヤー３０の外部であるプロジェクタ本体１側に排出されることとなり、ＤＶＤプレーヤー３０の放熱を効率的に行うことができる。
更には、ダクト５２０に隣接されて配設されているファン５３０を運転させれば、プロジェクタ本体側１に送り出されたこの熱は、このファン５３０により好適に放散されることになる。
【００７０】
そして、ＤＶＤプレーヤー３０における発熱部分を導入口５１０の直下又はその周囲に配置するようにすれば、ＤＶＤプレーヤー３０の発熱部分で発生した熱は、この導入口５１０を効率よく通過するようになる。
ここで、発熱部分としては、ＤＶＤプレーヤー３０の駆動ユニット３２０や、具体的には、投入されたＤＶＤに記録されているデジタルビデオ信号を読み取る光学部品であるピックアップなどが挙げられる。
【００７１】
図９は、本実施形態のプロジェクタ１０における、ＤＶＤプレーヤー３０により発生する熱の流れを示した模式図である。図９中、矢印は熱の流れを示している。
図９においては、区画部材５０に形成された略矩形状の導入口５１０の直下には、区画部材５０の下部に配設されたＤＶＤプレーヤー３０の駆動ユニット３２０（ＤＶＤプレーヤー３０の発熱部分）が存在する。
【００７２】
また、この駆動ユニット３２０を運転させ、また、区画部材５０に載置されたプロジェクタ本体１に配設されるファン５３０も運転させると、駆動ユニット３２０の運転により発生した熱は、直上に存在する導入口５１０に向かって移動するとともに、この導入口５１０と空気的に連通するダクト５２０に送り出されることになる。そして、この熱は、ダクト５２０に隣接されて配設されている前記したファン５３０により好適に放散されることになる。
【００７３】
（IV）第１実施形態の効果：
前記した第１実施形態のプロジェクタによれば、下記の効果を好適に奏することができる。
（１）プロジェクタ本体１と、画像再生装置であるＤＶＤプレーヤー３０とを備えたプロジェクタ１０において、プロジェクタ本体１とＤＶＤプレーヤー３０が、プロジェクタ本体１が上になるように上下一体に配置されているので、製品全体の専有面積が小さくなり、プロジェクタ１０の小型化を図ることができる。
また、プロジェクタ本体１が上になるようにしているので、投写方向が正確となり、画像光が正確かつ高精度で投射されることとなる。
【００７４】
（２）更には、プロジェクタ本体１はＤＶＤプレーヤー３０と比較して大きな熱を発生するので、プロジェクタ本体１を上に配置することにより、プロジェクタ本体１の熱によりＤＶＤプレーヤー３０に悪影響を及ぼすことを抑制することができる。
【００７５】
（３）プロジェクタ本体１とＤＶＤプレーヤー３０の間には区画部材５０が形成されており、この区画部材５０の上面にプロジェクタ本体１が載置されているので、両装置が確実に分離されることになり、また、プロジェクタ本体１も区画部材５０に載置されることによって、安定した状態でプロジェクタが形成されることになる。
【００７６】
（４）プロジェクタ本体１とＤＶＤプレーヤー３０との間に形成される区画部材５０に、
プロジェクタ本体１やＤＶＤプレーヤー３０におけるダクト５２０が一体化して形成されているので、このプロジェクタ本体１やＤＶＤプレーヤー３０の吸気や排気が良好に行われることになる。
また、ダクト５２０を別途配設する必要がなくなるので、部材点数の削減となり、これによりコストの削減を図ることができる。
【００７７】
（５）プロジェクタ本体１とＤＶＤプレーヤー３０との間に形成される区画部材５０には、ＤＶＤプレーヤー３０からの熱を導入する導入口５１０が形成され、ＤＶＤプレーヤーにおける発熱部分（例えば、駆動ユニット３２０）を区画部材５０に形成された導入口５１０の直下に配置するようにしているので、ＤＶＤプレーヤー３０の発熱部分で発生した熱はこの導入口５１０を通過するようになり、また、区画部材５０のプロジェクタ本体１側には、この導入口５１０と連通したダクト５２０が配設されているので、導入口５１０を通過した熱はダクト５２０を介して外部に排出されることとなり、ＤＶＤプレーヤー３０の放熱ないし冷却を効率的に実施することができる。
【００７８】
（６）プロジェクタ本体１に形成される排気部７３と、ＤＶＤプレーヤー３０の排気部７５が同じ方向に隣接して配設されているので、両者の排気を同一方向に行うことができ、装置の排気の効率化を図ることができる。
【００７９】
（Ｖ）実施形態の変形：
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００８０】
例えば、前記した実施形態では、区画部材５０は、平面部５０１にプロジェクタ本体１を載置して、また、その平面部５０１と側面部５０２が一体的に形成されているものであり、この側面部５０２はプロジェクタ本体を取り囲むものであった。
一方、この側面部５０２において、投写光学装置である投写レンズ３の先端に相当する部分は平坦であったが、かかる部分に投写レンズ３の先端を取り囲む周状リブ５４０が形成されているようにしてもよい。
なお、以下の説明では、前記第１実施形態と同様の構造および同一部材には同一符号を付して、その詳細な説明は省略または簡略化する。
【００８１】
図１０は、本発明のプロジェクタ１０の他の態様を示した斜視図であり、図１１は、本発明のプロジェクタ１０の他の態様を示した平面図である。このように、本態様のプロジェクタ１０における区画部材５０の側面部５０２には、周状リブ５４０が形成されており、この周状リブ５４０が投写レンズ３の先端を囲んでいる。
なお、図１０及び図１１にあっては、画像再生装置であるＤＶＤプレーヤーは取り外した状態を示している。
【００８２】
図１０及び図１１に示した構成によれば、区画部材５０のプロジェクタ本体１を取り囲む側面部５０２にプロジェクタ本体１を構成する投写光学装置である投写レンズ３の先端を囲む周状リブ５４０が形成されているので、前記した（１）〜（６）の効果を奏することに加えて、投写方向が正確になり、また、投写レンズ３における投写効率の最適化を図ることができる。
また、この周状リブ５４０は、区画部材５０の側面部５０２と一体化されているので、部材点数を少なくすることができ、更なるコストの削減を図ることができる。
【００８３】
また、前記した実施形態では、画像再生装置としてＤＶＤプレーヤーを挙げて説明したが、これには限定されず、ビデオカセットレコーダーなどを適用するようにしてもよい。
【００８４】
前記した実施形態では、区画部材５０には、平面部５０１の略中央に対して、下部に配設されるＤＶＤプレーヤー３０の熱を導入する略矩形状の導入口５１０が形成されていたが、この導入口５１０が形成される位置は、何れも前記した内容には限定されず、区画部材５０における任意の位置に形成することができる。
従って、例えば、ＤＶＤプレーヤー３０等の画像再生装置の発熱部分が存在する位置の直上あるいはその周囲に、この熱が導入される導入口５１０を形成すればよいし、また、当該直上や周囲から離れた位置に導入口５１０を形成しても構わない。更には、導入口５１０の形状も矩形状には限定されず、最適な形状を適宜決定すればよい。
【００８５】
前記した実施形態では、プロジェクタ本体１の吸気部７２及び排気部７３と、画像再生装置であるＤＶＤプレーヤー３０の吸気部７４及び排気部７５は、それぞれ隣接して形成されている態様を示したが、これには限定されず、プロジェクタ本体１の吸気部７２（排気部７３）と画像再生装置（ＤＶＤプレーヤー３０）の吸気部７４（排気部７５）を離れた位置に形成するようにしてもよい。
【００８６】
前記した実施形態では、スクリーンを観察する方向から投写を行うフロントタイプのプロジェクタの例のみを挙げたが、本発明は、スクリーンを観察する方向とは反対側から投写を行うリアタイプのプロジェクタにも適用可能である。
【００８７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
【００８８】
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８９】
本発明のＤＶＤプレーヤーなどの画像再生装置を備えたプロジェクタは、例えば、会議、学会、展示会等でのマルチメディアプレゼンテーションに適用されるプロジェクタとして多目的に利用することができる。
【図面の簡単な説明】
【００９０】
【図１】本発明の第１実施形態に係るプロジェクタを前方から見た斜視図。
【図２】本発明の第１実施形態に係るプロジェクタを後方から見た斜視図。
【図３】プロジェクタ本体の光学系の構造を示した模式図。
【図４】本発明の第１実施形態に係るプロジェクタの内部構成を示した、前方から見た斜視図。
【図５】本発明の第１実施形態に係るプロジェクタの内部構成を示した、後方から見た斜視図。
【図６】プロジェクタ本体の平面図。
【図７】画像再生装置であるＤＶＤプレーヤーの平面図。
【図８】区画部材の構造を示した斜視図。
【図９】ＤＶＤプレーヤーにより発生する熱の流れを示した模式図。
【図１０】本発明のプロジェクタの内部構造の他の態様を示した斜視図。
【図１１】本発明のプロジェクタの内部構造の他の態様を示した平面図。
【符号の説明】
【００９１】
１…プロジェクタ本体、３…投写レンズ（投写光学装置）、１０…プロジェクタ、１５…外装ケース、２０…カバー部材、３０…ＤＶＤプレーヤー（画像再生装置）、４１…インテグレータ照明光学系、４２…色分離光学系、４３…リレー光学系、４４…光学装置、４５…光学部品用筐体、５０…区画部材、７２，７４…吸気部、７３，７５…排気部、５０１…平面部、５０２…側面部、５１０…導入口、５２０…ダクト、５３０…ファン、５４０…周状リブ、６１１…箱部材
【図１】
2006072037.tif 000003
【図２】
2006072037.tif 000004
【図３】
2006072037.tif 000005
【図４】
2006072037.tif 000006
【図５】
2006072037.tif 000007
【図６】
2006072037.tif 000008
【図７】
2006072037.tif 000009
【図８】
2006072037.tif 000010
【図９】
2006072037.tif 000011
【図１０】
2006072037.tif 000012
【図１１】
2006072037.tif 000013
【手続補正書】
【提出日】平成17年9月29日(2005.9.29)
【手続補正１】
【補正対象書類名】特許請求の範囲
【補正対象項目名】請求項１
【補正方法】変更
【補正の内容】
【請求項１】
光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置とを備えるプロジェクタ本体、および、前記画像光に関連する画像を再生する画像再生装置を備えたプロジェクタであって、
前記プロジェクタ本体と前記画像再生装置とは、前記プロジェクタ本体が上になるように上下一体に配置され、
前記プロジェクタ本体と前記画像再生装置との間には区画部材が形成され、当該区画部材の上面に前記プロジェクタ本体が載置されていることを特徴とするプロジェクタ。
【手続補正２】
【補正対象書類名】特許請求の範囲
【補正対象項目名】請求項５
【補正方法】変更
【補正の内容】
【請求項５】
請求項１ないし請求項４の何れかに記載のプロジェクタにおいて、
前記区画部材が前記プロジェクタ本体を取り囲む側面部と一体となっており、
当該側面部には、前記投写光学装置の先端を囲む周状リブが形成されていることを特徴とするプロジェクタ。
【手続補正３】
【補正対象書類名】明細書
【補正対象項目名】０００９
【補正方法】変更
【補正の内容】
【０００９】
本発明のプロジェクタは、光源と、光源から射出された光束を複数の色光に分離する色分離光学装置と、分離された色光を画像情報に応じて変調する複数の光変調装置と、各光変調装置で変調された光を合成する色合成光学装置と、前記色合成光学装置にて合成された画像光を拡大投写する投写光学装置とを備えるプロジェクタ本体、および、前記画像光に関連する画像を再生する画像再生装置を備えたプロジェクタであって、前記プロジェクタ本体と前記画像再生装置とは、前記プロジェクタ本体が上になるように上下一体に配置され、前記プロジェクタ本体と前記画像再生装置との間には区画部材が形成され、当該区画部材の上面に前記プロジェクタ本体が載置されていることを特徴とする。
ここで、画像再生装置としては、例えば、ＤＶＤプレーヤー、ビデオカセットレコーダーなどが挙げられる。
【手続補正４】
【補正対象書類名】明細書
【補正対象項目名】００２３
【補正方法】変更
【補正の内容】
【００２３】
図１に示すように、プロジェクタ１０の外装ケース１５の正面部１５Ａ（投写レンズ３が露出している面）、及び当該正面部１５Ａから見た左側面部１５Ｂには、排気口１５１Ａ，１５１Ｂ１，１５１Ｂ２が形成されている。この排気口１５１Ａ，１５１Ｂ１，１５１Ｂ２は、外装ケース１５内部のプロジェクタ本体１やＤＶＤプレーヤー３０から生じる熱を外部に排出する開口部であり、本実施形態では、細長い略矩形状の空隙が横に数本並んで、排気口１５１Ａ，１５１Ｂ１，１５１Ｂ２を形成している。
【手続補正５】
【補正対象書類名】明細書
【補正対象項目名】００２４
【補正方法】変更
【補正の内容】
【００２４】
また、図１に示すように、プロジェクタ１０の外装ケース１５の正面部１５Ａには、電源を投入するための電源スイッチ３０１と、ＡＣ電源コードのインレットコネクタ３０２が形成されている。
【手続補正６】
【補正対象書類名】明細書
【補正対象項目名】００２５
【補正方法】変更
【補正の内容】
【００２５】
なお、図１では、外装ケース１５の正面部１５Ａに１つの排気口１５１Ａを、また、外装ケース１５の左側面部に２つの排気口１５１Ｂ１，１５１Ｂ２を形成した例を示しており、左側面部１５Ｂの２つの排気口１５１Ｂ１，１５１Ｂ２のうち、上のもの（１５１Ｂ１）はプロジェクタ本体１の排気部７３、下のもの（１５１Ｂ２）はＤＶＤプレーヤー３０の排気部とそれぞれ連通している。
【手続補正７】
【補正対象書類名】明細書
【補正対象項目名】００３５
【補正方法】変更
【補正の内容】
【００３５】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
【手続補正８】
【補正対象書類名】明細書
【補正対象項目名】００４６
【補正方法】変更
【補正の内容】
【００４６】
更に、クロスダイクロイックプリズム４４４で合成されたカラー画像は、投写レンズ３から射出され、スクリーン上に拡大投射されることになる。
そして、かかる構成からなる光学系は、例えば、平面略Ｌ字状の形状からなる、図４及び図５に示す光学部品用筐体４５に収納されることになる。
【手続補正９】
【補正対象書類名】明細書
【補正対象項目名】００４８
【補正方法】変更
【補正の内容】
【００４８】
（III−ａ）プロジェクタ本体１の構造：
図４〜図６に示すように、区画部材５０を介して上に配置されるプロジェクタ本体１は、平面略Ｌ字状の形状からなる光学部品用筐体４５に収納されている。この光学部品用筐体４５は、射出成形等による合成樹脂製品であり、光学部品が収納される箱状の部品収納部材４７Ｂと、この部品収納部材の上面の開口部分を塞ぐ蓋状の蓋状部材４７Ａとを備えている。具体的には、この光学部品用筐体４５は、光源装置４１１が収納される光源収納部４８と、光源装置４１１を除く他の光学部品が収納される容器状に形成された部品収納部４９とを備えている。
【手続補正１０】
【補正対象書類名】明細書
【補正対象項目名】００５２
【補正方法】変更
【補正の内容】
【００５２】
回路基板５は、前記した光学部品用筐体４５の上方に配置される（なお、図４では回路基板の図示は省略している）。
この回路基板５は、ＣＰＵ（Central Processing Unit）等の演算処理装置が実装され
た回路基板として構成され、プロジェクタ本体１全体を制御する。この回路基板５は、図示しないインターフェイス基板から出力される信号に基づいて、液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。
また、この回路基板５は、図示しない操作パネルの回路基板、および図示しないリモコン受光モジュールから出力される操作信号を入力し、この操作信号に基づいてプロジェクタ１０の構成部材に適宜、制御指令を出力する。
【手続補正１１】
【補正対象書類名】明細書
【補正対象項目名】００６６
【補正方法】変更
【補正の内容】
【００６６】
なお、図８中、平面部５０１に形成されている凹部５０１Ａは、図４に示す吸気用ファン７２１を設置するためのものであり、また、側面部５０２には隣接して吸気口７２２が形成されている。同様に、平面部５０１に形成されているリブ５０１Ｂは、前記した電源ユニット６を位置決め固定するものである。
【手続補正１２】
【補正対象書類名】明細書
【補正対象項目名】００６８
【補正方法】変更
【補正の内容】
【００６８】
本実施形態のプロジェクタ１０を構成する区画部材５０には、平面部５０１の略中央に対して、下部に配設されるＤＶＤプレーヤー３０の熱を導入する略矩形状の導入口５１０が形成されている。
また、この区画部材５０の平面部５０１にはダクト５２０が一体化されて形成されており、これにより、かかる導入口５１０とダクト５２０は空気的に連通されている状態（空気が導入口５１０からダクト５２０まで自由に行き来できる状態）になっている。このように、区画部材５０にプロジェクタ本体１やＤＶＤプレーヤー３０におけるダクト５２０が一体化して形成されていることにより、プロジェクタ本体１やＤＶＤプレーヤー３０の吸気や排気が良好に行われることになる。
なお、図４に示すように、本実施形態のプロジェクタ１０において、区画部材５０にプロジェクタ本体１を載置した場合にあっては、このダクト５２０に隣接するようにして、ファン５３０が配設されている。
【手続補正１３】
【補正対象書類名】明細書
【補正対象項目名】００６９
【補正方法】変更
【補正の内容】
【００６９】
具体的には、この構成により、区画部材５０の下部に配設されるＤＶＤプレーヤー３０で発生する熱は、導入口５１０から、この導入口５１０と空気的に連通するダクト５２０に送り出されることになる。よって、導入口５１０を通過した熱はダクト５２０を介して
ＤＶＤプレーヤー３０の外部であるプロジェクタ本体１側に排出されることとなり、ＤＶＤプレーヤー３０の放熱を効率的に行うことができる。
更には、ダクト５２０に隣接されて配設されているファン５３０を運転させれば、プロジェクタ本体１側に送り出されたこの熱は、このファン５３０により好適に放散されることになる。
【手続補正１４】
【補正対象書類名】明細書
【補正対象項目名】００７３
【補正方法】変更
【補正の内容】
【００７３】
（IV）第１実施形態の効果：
前記した第１実施形態のプロジェクタによれば、下記の効果を好適に奏することができる。
（１）プロジェクタ本体１と、画像再生装置であるＤＶＤプレーヤー３０とを備えたプロジェクタ１０において、プロジェクタ本体１とＤＶＤプレーヤー３０が、プロジェクタ本体１が上になるように上下一体に配置されているので、製品全体の専有面積が小さくなり、プロジェクタ１０の小型化を図ることができる。